(57)【要約】    【課題】  地上での移動が容易な地組用治具を提供する。    【解決手段】  せん断補強筋を吊り下げるための掛止体と、吊り下げられた前記せん断補強筋の内側に供給されて該せん断補強筋の上端に配設される上端主筋を支持するために、前記掛止体の下方に位置する上端主筋支持体と、吊り下げられた前記せん断補強筋の内側に供給されて該せん断補強筋の下端に配設される下端主筋を支持するために、前記上端主筋支持体の下方に位置する下端主筋支持体と、これらを支持するスタンドと、を備えた地組体に、該地組体を地上で移動させるためのキャスターを設けたことを特徴とする。  【選択図】    図１
0003108762.tif 000002
【実用新案登録請求の範囲】
【請求項１】
鉄筋を組み立てて鉄筋ユニットを形成するための地組体に、該地組体を移動させるためのキャスターを設けたことを特徴とする地組用治具。
【請求項２】
前記地組体は、
せん断補強筋を吊り下げるための掛止体と、
吊り下げられた前記せん断補強筋の内側に供給されて該せん断補強筋の上端に配設される上端主筋を支持するために、前記掛止体の下方に位置する上端主筋支持体と、
吊り下げられた前記せん断補強筋の内側に供給されて該せん断補強筋の下端に配設される下端主筋を支持するために、前記上端主筋支持体の下方に位置する下端主筋支持体と、
これらを支持するスタンドと、
を備えたことを特徴とする請求項１に記載の地組用治具。
【請求項３】
前記キャスターのロック装置を備えたことを特徴とする請求項１又は２に記載の地組用治具。
【請求項４】
前記地組体を前後に間隔を設けて複数配置し、これらの地組体を連結体で連結したことを特徴とする請求項１から３のいずれかに記載の地組用治具。
【請求項５】
前記上端主筋を、前記せん断補強筋の内側に供給するための上端主筋供給体を備えたことを特徴とする請求項２から４のいずれかに記載の地組用治具。
【考案の詳細な説明】
【技術分野】
【０００１】
本考案は、建設現場の地上において鉄筋を組み立てて梁や柱の鉄筋ユニットを形成するための地組用治具に関するものである。
【背景技術】
【０００２】
従来の鉄筋地組み装置としては、鉄筋送り込み部と、鉄筋支持部とからなり、鉄筋送り込み部は、梁主筋を載せ置き可能にしてその梁主筋を地組み位置へ送り出す搬送体を備え、前記鉄筋支持部のそれぞれは、前記鉄筋送り込み部から送り出される梁主筋を上下方向に移動させる上下移動体と、前記上下移動体により所要高さに位置した梁主筋を支持する鉄筋受け体と、鉄筋ピッチ型板とを備えた梁鉄筋地組み装置が提案されていた（例えば、特許文献１参照。）。
【０００３】
そして、鉄筋ピッチ型板には主筋の割付位置に対応する主筋挿入孔が設けられ、地組み位置へ送り出された主筋を鉄筋ピッチ型板の主筋挿入孔に挿入して位置決めするようにしていた。
【０００４】
しかし、かかる鉄筋地組み装置は、主筋挿入孔への主筋の挿入作業が必要になるので、主筋の配筋作業が面倒になるという問題があり、また、該装置を所定位置まで移動させるのが面倒であり、地組作業能率を低下させる原因となっている。
【特許文献１】特開平１１―２２１９７号公報
【考案の開示】
【考案が解決しようとする課題】
【０００５】
本考案は、地上での移動が容易になることにより、地組作業能率の向上を図ることができる地組用治具を提供することを課題とする。
【課題を解決するための手段】
【０００６】
本考案者は、前記課題を解決するために鋭意研究を重ねて完成されたものである。
【０００７】
１．鉄筋を組み立てて鉄筋ユニットを形成するための地組体に、該地組体を移動させるためのキャスターを設けたことを特徴とする地組用治具を提供する。
２．前記地組体は、せん断補強筋を吊り下げるための掛止体と、吊り下げられた前記せん断補強筋の内側に供給されて該せん断補強筋の上端に配設される上端主筋を支持するために、前記掛止体の下方に位置する上端主筋支持体と、吊り下げられた前記せん断補強筋の内側に供給されて該せん断補強筋の下端に配設される下端主筋を支持するために、前記上端主筋支持体の下方に位置する下端主筋支持体と、これらを支持するスタンドと、
を備えたことを特徴とする前記１に記載の地組用治具を提供する。
３．前記キャスターのロック装置を備えたことを特徴とする前記１又は２に記載の地組用治具を提供する。
４．前記地組体を前後に間隔を設けて複数配置し、これらの地組体を連結体で連結したことを特徴とする前記１から３のいずれかに記載の地組用治具を提供する。
５．前記上端主筋を、前記せん断補強筋の内側に供給するための上端主筋供給体を備えたことを特徴とする前記２から４のいずれかに記載の地組用治具を提供する。
【考案の効果】
【０００８】
本考案によれば、キャスターを設けることにより、地上での地組体の移動が容易になり、したがって主筋の配筋作業の際に、主筋を主筋支持体から僅かに浮かせて地組体を僅かに移動させることによって主筋支持体上における主筋の位置調整が容易になり、また、複数の地組用治具を一直線上に並べて地組体間に主筋を掛け渡して地組作業をする際や、主筋が交差する交差型の鉄筋ユニットの地組作業を行うために複数の地組用治具を十字線上に配置する際に、地組用治具の位置調整が容易になり、その結果地組作業能率を向上させることができる。
【０００９】
また、前記キャスターのロック装置を設ければ、地組作業中に地組用治具が不用意に移動するのを防止することができる。
【考案を実施するための最良の形態】
【００１０】
以下、本考案に係る地組用治具の実施形態について図面を参照しつつ説明する。
【００１１】
図１及び図２のように地組用治具Ａは、前後一対の地組体Ａ１を連結体１で連結し、地上を容易に移動するためのキャスター２を設けて構成され、図３乃至図８のようにせん断補強筋３と主筋４（４ａ，４ｂ）とを地上で組み立てて鉄筋ユニット５を形成するのに用いられる。なお、せん断補強筋３はスターラップやフープ筋等であって、端部同士が溶接で連結された閉鎖型のものである。
【００１２】
地組体Ａ１は、せん断補強筋３を吊り下げるためのハンガー（掛止体の一例）６と、せん断補強筋３の上端に配設される上端主筋４ａ（４）を載置するための棒状の上端主筋支持体８と、せん断補強筋の下端に配設される下端主筋を載置するための棒状の下端主筋支持体９と、これらを支持するためにベース７ａから立設される左右一対のスタンド７と、を備えている。上端主筋支持体８はハンガー６の下方に位置し、下端主筋支持体９は上端主筋支持体８の下方に位置している。
【００１３】
ハンガー６は、両端に連結筒体６ｃを有する横棒６ａに複数本の棒材６ｂを固定して形成されている。
【００１４】
図中の符号１０は連結具であって、上端主筋支持体８を掛け止めし、且つ、ハンガー６をスタンド７に連結するためのものである。連結具１０は上端主筋支持体１１を掛け止めするためのフック部１０ａを備え、該フック部１０ａの後端から上方に向けて上連結バー１０ｂが延設され、フック部１０ａの下部から下方に向けて下連結バー１０ｃが延設されている。
【００１５】
そして、図１のように連結具１０の下連結バー１０ｃをスタンド７の上端に形成された挿入孔７ａに挿入し、連結具１０の上連結バー１０ｂにハンガー６の連結筒体６ｃを挿入することにより、スタンド７間にハンガー６が架設される。
【００１６】
キャスター２は地組体のスタンド７の下端に取り付けられている。なお、地組用治具Ａにはキャスター２のロック装置（図示省略）が備わり、該ロック装置はフットペダルを踏み付けてキャスター２の回転を停止・解除できるようになっている。
【００１７】
上端主筋支持体８は、スタンド７間に架設されるものであって、所定本数の上端主筋４ａを所定間隔で割り付け可能な長さを有し、上端主筋支持体８の両端部は連結具１０のフック部１０ａに掛止されている。なお、上端主筋支持体８のスタンド７寄りの部位には位置決め溝（図示省略）が形成され、該位置決め溝にはせん断補強筋３の一方の上端側コーナー部３ａに配設される上端主筋４ａが嵌め込まれるようになっている。
【００１８】
下端主筋支持体９は、スタンド７間に架設されるものであって、所定本数の上端主筋４ａを所定間隔で割り付け可能な長さを有し、下端主筋支持体９の両端部はスタンド７にクランプ１１で着脱自在に取り付けられている。
【００１９】
次に、地組用治具Ａを用いて梁の鉄筋ユニットを地組みする作業について説明する。
（１）地組用治具Ａを所定の地組位置までキャスター２で移動させた後、キャスター２を前記ロック装置でロックして地組用治具Ａを位置決めする。
【００２０】
また、図９のように同一の一直線上に配設される複数の地組用治具Ａは連結バー１２とクランプ１１を用いて連結する。
（２）図３のように地組用治具Ａの各地組体Ａ１のハンガー６の棒材６ｂに所定本数のせん断補強筋３をまとめて吊り下げる。
（３）図４のように所定本数の上端主筋４ａを上端主筋支持体８に載置して該上端主筋支持体８の上をスライドさせながらせん断補強筋（スターラップ）３の内側に供給する。
【００２１】
また、同図のように所定本数の下端主筋４ｂを下端主筋支持体９に載置して該下端主筋支持体９の上をスライドさせながらせん断補強筋３の内側に供給する。
【００２２】
なお、上端主筋支持体８に図外の上ローラー（上端主筋供給体の一例）を着脱自在に取り付け、上端主筋４ａを前記上ローラーに載せて供給するようにしても良い。また、下端主筋支持体９に図外の下ローラー（下端主筋供給体の一例）を着脱自在に取り付け、下端主筋４ｂを前記下ローラーに載せて供給するようにしても良い。
（４）図５のようにせん断補強筋３をハンガー６から外して上端主筋４ａに吊り下げる。
（５）せん断補強筋３を上端主筋４ａに沿って所定間隔で割り付け、その後に上端主筋支持体８の上での上端主筋４ａの割り付け、及び下端主筋支持体９の上での下端主筋４ｂの割り付けを行う。
（６）図６のようにクランプ１１の緊結力を緩めて下端主筋支持体９をスタンド７に沿って下方に移動させることにより、下端主筋４ｂをせん断補強筋３の下端部の上に移し替える。
（７）主筋４ａ，４ｂとせん断補強筋３とを図外の結束線等で結束して鉄筋ユニット５を完成させる。
【００２３】
また、鉄筋ユニット５を完成するまでに、地組用治具Ａの位置調整の必要が生じたときには、前記ロック装置によるキャスター２のロックを解除して地組用治具Ａの位置調整を行う。
（８）図６のようにハンガー６をスタンド７から取り外し、図７のように鉄筋ユニット５をクレーンのワイヤー１２で僅かに吊り上げた状態で、図８のように上端主筋支持体８を連結具１０のフック部１０ａから取り外す。その後、鉄筋ユニット５を前記クレーンで所定階まで運搬する。
【００２４】
柱の鉄筋ユニット５についても、上述と同じ要領で閉鎖型のフープ筋を用いて地組みすることができる。
【００２５】
図１１は鉄筋ユニット５単体の地組作業を示し、図１１及び図１２は鉄筋ユニット５を交差させて地組する作業を示し、図１３は鉄筋ユニット５をＴ字状に地組する作業を示している。
【図面の簡単な説明】
【００２６】
【図１】本考案の実施形態に係る地組用治具を示す斜視図である。
【図２】（ａ）は同地組用治具の正面図、（ｂ）は同地組用治具を示す側面図である。
【図３】（ａ）は同地組用治具を用いた鉄筋ユニットの地組工程を示す正面図、（ｂ）は同工程を示す側面図である。
【図４】（ａ）は同地組用治具を用いた鉄筋ユニットの地組工程を示す正面図、（ｂ）は同工程を示す側面図である。
【図５】（ａ）は同地組用治具を用いた鉄筋ユニットの地組工程を示す正面図、（ｂ）は同工程を示す側面図である。
【図６】（ａ）は同地組用治具を用いた鉄筋ユニットの地組工程を示す正面図、（ｂ）は同工程を示す側面図である。
【図７】（ａ）は同地組用治具を用いた鉄筋ユニットの地組工程を示す正面図、（ｂ）は同工程を示す側面図である。
【図８】（ａ）は同地組用治具を用いた鉄筋ユニットの地組工程を示す正面図、（ｂ）は同工程を示す側面図である。
【図９】同地組用治具同士を連結した状態を示す側面図である。
【図１０】地組形態を示す平面図である。
【図１１】地組形態を示す平面図である。
【図１２】地組形態を示す平面図である。
【図１３】地組形態を示す平面図である。
【符号の説明】
【００２７】
Ａ        地組用治具
Ａ１      地組体
１        連結体
２        キャスター
３        せん断補強筋
４ａ      上端主筋
４ｂ      下端主筋
５        鉄筋ユニット
６        ハンガー（掛止体）
７        スタンド
８        上端主筋支持体
９        下端主筋支持体
【図１】
0003108762.tif 000003
【図２】
0003108762.tif 000004
【図３】
0003108762.tif 000005
【図４】
0003108762.tif 000006
【図５】
0003108762.tif 000007
【図６】
0003108762.tif 000008
【図７】
0003108762.tif 000009
【図８】
0003108762.tif 000010
【図９】
0003108762.tif 000011
【図１０】
0003108762.tif 000012
【図１１】
0003108762.tif 000013
【図１２】
0003108762.tif 000014
【図１３】
0003108762.tif 000015